(57)【要約】      （修正有）【課題】見易い或いは操作し易い最適の傾きにパネルをロックすることができ、傾き変更操作を容易に行うことができるロック機能付きチルトヒンジの提供。【解決手段】ＯＡ機器の本体１に取り付けられるヒンジ用固定ブラケット３と、パネル２に取り付けられるヒンジ用可動ブラケット４と、該ヒンジ用固定ブラケット３一側の側板と該ヒンジ用可動ブラケット４の一側の側板を相互に重ね合わせて所定の摩擦トルクで軸支するチルトヒンジ５と、上記ヒンジ用固定ブラケット３の他側の側板と上記ヒンジ用可動ブラケットの他側の側板を相互に重ね合わせて軸支するヒンジシャフト６と、前記ヒンジ用可動ブラケット４の他側の側板に一体的に設けられるヒンジブラケット８と、該ヒンジブラケット８の長孔に挿設されるカムシャフト９と、該カムシャフト９に回転自在に支持されると共に大径部分と小径部分を有する回転カム１０と、操作レバー１１とから構成される。【選択図】図２Ａ
2010174910.tif 000002
【特許請求の範囲】
【請求項１】
ＯＡ機器の本体に取り付けられるヒンジ用固定ブラケットと、パネルに取り付けられるヒンジ用可動ブラケットと、該ヒンジ用固定ブラケット３一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、前記ヒンジ用可動ブラケットの他側の側板に一体的に設けられるヒンジブラケットと、該ヒンジブラケットの長孔に挿設されるカムシャフトと、該カムシャフトに回転自在に支持されると共に大径部分と小径部分を有する回転カムと、該回転カムに取り付けられた操作レバーと、から構成されることを特徴とするロック機能付きチルトヒンジ。
【請求項２】
上記ヒンジシャフトに、締付調整ナットを螺着させることを特徴とする請求項１に記載のロック機能付きチルトヒンジ。
【請求項３】
ＯＡ機器の本体に取り付けられるヒンジ用固定ブラケットと、パネルに取り付けられるヒンジ用可動ブラケットと、該ヒンジ用固定ブラケット３一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジボルトと、該ヒンジボルトのボルト部に螺合して、央軌ヒンジ用固定ブラケットの他側の側板とヒンジ用可動ブラケットの他側の側板間の相互圧接力を強めたり緩める締付操作ナットと、該締付操作ナットを回転操作する操作レバーと、から構成されることを特徴とするロック機能付きチルトヒンジ。
【発明の詳細な説明】
【技術分野】
【０００１】
本発明は、複写機、プリンターなどのＯＡ機器や、冷蔵庫や洗濯機などの家電製品に設けられるモニターパネルや操作パネルなどのパネルの傾きを制御するロック機能付きチルトヒンジに関する。
【背景技術】
【０００２】
一般に、上記パネルは、見易い傾きや操作し易い傾きに調整する必要がある。このパネルの傾きを任意に調整できるようにチルトヒンジが採用されているＯＡ機器等が少なくない。
【０００３】
上記チルトヒンジは、その摩擦トルクによりパネルの傾きを維持するようになっており、パネルの大きさや重さ、或いは取付位置に応じて、安定した傾きが維持されるように、最適のトルクを発揮し得るヒンジが選択される。
【０００４】
しかしながら、傾きの安定性を重視すると高摩擦トルクのチルトヒンジとなって、この傾きを変えようとする場合、抵抗が大きくて傾き変更操作が困難になる。一方、傾き変更操作の容易性を重視すると、低摩擦トルクのチルトヒンジとなって、パネルの傾きが不安定となり、特に、操作パネルのようにタッチするパネルでは、タッチする毎に傾きが変わってしまう等の問題点があった。
【発明の概要】
【発明が解決しようとする課題】
【０００５】
本発明は、見易い或いは操作し易い最適の傾きにパネルをロックすることができ、しかも、傾き変更操作を容易に行うことができるロック機能付きチルトヒンジを提供することを課題とする。
【課題を解決するための手段】
【０００６】
本発明のロック機能付きチルトヒンジは、ＯＡ機器の本体に取り付けられるヒンジ用固定ブラケットと、パネルに取り付けられるヒンジ用可動ブラケットと、該ヒンジ用固定ブラケット３一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、前記ヒンジ用可動ブラケットの他側の側板に一体的に設けられるヒンジブラケットと、該ヒンジブラケットの長孔に挿設されるカムシャフトと、該カムシャフトに回転自在に支持されると共に大径部分と小径部分を有する回転カムと、該回転カムに取り付けられた操作レバーと、から構成されることを特徴とする。
【発明の効果】
【０００７】
本発明のロック機能付きチルトヒンジは、見易い或いは操作し易い最適の傾きにパネルをロックすることができ、しかも、傾き変更操作を容易に行うことができる。
【図面の簡単な説明】
【０００８】
【図１Ａ】ＯＡ機器に設けたパネルを示す斜視図である。
【図１Ｂ】本発明のロック機能付きチルトヒンジの一実施例を示す斜視図である。
【図２Ａ】ロック解除状態のロック機能付きチルトヒンジを示す斜視図である。
【図２Ｂ】図２Ａのロック機能付きチルトヒンジの分解斜視図である。
【図３Ａ】回転カムによるロック解除の説明図である。
【図３Ｂ】回転カムによるロック作用の説明図である。
【図４】ロック状態のロック機能付きチルトヒンジを示す斜視図である。
【図５Ａ】別の実施例のロック解除状態のロック機能付きチルトヒンジを示す斜視図である。
【図５Ｂ】図５Ａのロック機能付きチルトヒンジの分解斜視図である。
【図６】図５Ａの実施例のロック状態のロック機能付きチルトヒンジを示す斜視図である。
【図７Ａ】更に別の実施例のロック機能付きチルトヒンジを示す斜視図である。
【図７Ｂ】図７Ａの実施例のロック機能付きチルトヒンジを別の方向から見た斜視図である。
【発明を実施するための形態】
【０００９】
以下、本発明のロック機能付きチルトヒンジの実施例について、図面を参照しながら説明する。
【実施例１】
【００１０】
図１Ａ、図Ｂおよび図２Ａ、図２Ｂにおいて、１は複写機などのＯＡ機器の本体、２はパネル、３はＯＡ機器の本体１に取り付けられるヒンジ用固定ブラケット、４はパネル２に取り付けられるヒンジ用可動ブラケット、５はチルトヒンジ、６はヒンジシャフト、７は締付調整ナット、８はヒンジブラケット、９はカムシャフト、１０は回転カム、１１は操作レバーである。
【００１１】
上記ヒンジ用固定ブラケット３の一側の側板３ａと上記ヒンジ用可動ブラケット４の一側の側板４ａは相互に重ね合わされて、チルトヒンジ５により所定の摩擦トルクで軸支されている。一方、上記ヒンジ用固定ブラケット３の他側の側板３ｂと上記ヒンジ用可動ブラケット４の他側の側板４ｂも相互に重ね合わされて、ヒンジシャフト６により軸支されている。該ヒンジシャフト６には、上記締付調整ナット７が螺着されている。
【００１２】
上記ヒンジブラケット８は、上記ヒンジ用可動ブラケット４の側板４ｂに一体的に設けられていて、長孔８ａが開設されている。該長孔８ａには、上記レバーシャフト９が挿設されるようになっている。該カムシャフト９は、上記回転カム１０の取付孔１０ａおよび上記ヒンジシャフト６を貫くように穿設された貫通孔６ａにも貫挿される。
【００１３】
本実施例のロック機能付きチルトヒンジは、以上のように構成されているので、図２Ａに示すように、上記操作レバー１１を矢印のように上記パネル２側に引き寄せると、図３Ａに示すように、上記回転カム１０の小径部分ｒが、上記ヒンジ用可動ブラケット４の側板４ｂに対する押圧力が小さくなると同時に、上記カムシャフト９を介して上記締付調整ボルト７の側板３ｂに対する押圧力も小さくなり、上記ヒンジ用固定ブラケット３と上記ヒンジ用可動ブラケット４の相互の圧接力が緩められる。その結果、ヒンジ用可動ブラケット４のロックが解除される。ロックが解除されると、パネル２は上記チルトヒンジ５の摩擦トルクだけで支持されるため、その傾き操作が容易となる。
【００１４】
図４は、上記操作レバー１１を矢印のように上記パネル２から離れるように操作した状態を示す。この状態では、図３Ｂに示すように、上記回転カム１０の大径部分Ｒが、上記ヒンジ用可動ブラケット４の側板４ｂを押圧すると同時に、上記カムシャフト９を介して上記ヒンジシャフト６が矢印方向に移動し、上記ヒンジ用固定ブラケット３と上記ヒンジ用可動ブラケット４の相互押圧力が大きくなる。その結果、ヒンジ用可動ブラケット４がロックされ、パネル２がロックされる。
【実施例２】
【００１５】
図５Ａは、本発明のロック機能付きチルトヒンジの別の実施例を示すもので、図５Ｂはその分解斜視図である。本実施例２では、ヒンジ用固定ブラケット３の側板３ｂの左右両側にヒンジブラケット８を上下方向に一体的に取り付け、その長孔８ａにカムシャフト９を横向きに挿設し、操作レバー１１が縦（上下）方向に操作できるように、構成されている。
【００１６】
この構成の違いを除けば、回転カムによるヒンジ用固定ブラケット３とヒンジ用可動ブラケット４の相互押圧作用を強くして、パネル２の傾きをロックしたり、逆に緩和してロック解除を行い、パネル２の傾き操作を容易にするという、作用原理は同じである。図５Ａはロック解除の、また、図６はロック状態の操作レバー１１の位置を示す。
【実施例３】
【００１７】
図７Ａおよび図７Ｂは、本発明のロック機能付きチルトヒンジの更に別の実施例を示すもので、ヒンジ用固定ブラケット３の側板３ｂにヒンジボルト１２を一体的に取り付けて、そのボルト部１２ａに締付操作ナット１３を螺合したものである。該締付操作ナット１３には、操作レバー１４が取り付けられている。
【００１８】
本実施例では、上記操作レバー１４により締付操作ナット１３を回転させて、上記ヒンジボルト１２との間で、ヒンジ用固定ブラケット３の他側の側板３ｂとヒンジ用可動ブラケット４の他側の側板４ｂ間の相互圧接力を緩めて、パネル２の傾きを変えたり、逆に、前記相互圧接力を強めて、パネル２の傾きをロックするようにしている。
【符号の説明】
【００１９】
１    ＯＡ機器の本体
２    パネル
３    ヒンジ用固定ブラケット
３ａ、３ｂ  側板
４    ヒンジ用可動ブラケット
４ａ、４ｂ  側板
５    チルトヒンジ
６    ヒンジシャフト
６ａ  貫通孔
７    締付調整ナット
８    ヒンジブラケット
８ａ  長孔
９    カムシャフト
１０  回転カム
１０ａ  取付孔
１１  操作レバー
１２  ヒンジボルト
１２ａ  ボルト部
１３  締付操作ナット
１４  操作レバー
Ｒ    大径部分
ｒ    小径部分
【図１Ａ】
2010174910.tif 000003
【図１Ｂ】
2010174910.tif 000004
【図２Ａ】
2010174910.tif 000005
【図２Ｂ】
2010174910.tif 000006
【図３Ａ】
2010174910.tif 000007
【図３Ｂ】
2010174910.tif 000008
【図４】
2010174910.tif 000009
【図５Ａ】
2010174910.tif 000010
【図５Ｂ】
2010174910.tif 000011
【図６】
2010174910.tif 000012
【図７Ａ】
2010174910.tif 000013
【図７Ｂ】
2010174910.tif 000014